(57)【要約】【課題】キーホルダーの如き小物入れと靴ベラとを一体化すると共に靴ベラをキーホルダー側に折り畳み固定可能とし、さらに小銭等の貨幣入れ兼用として使用可能にする。【解決手段】キーＰ、貨幣その他を収容可能とするスライドファスナー開閉構造の収容ケース体１と、該収容ケース体１に連設した靴ベラ２とから成る。該靴ベラ２を収容ケース体１側に折り畳み保持可能とする固定手段３を設ける。固定手段３は靴ベラ２に内装した帯磁可能な彎曲している保形板材３Ｂと、収容ケース体１内に付設した磁石３Ａとの磁気吸着力によるものとする。また収容ケース体１内には、収容したキーＰを保持するための保持リング４を備え、該保持リング４は収容ケース体１内に対し着脱可能なボタン（５Ａ，５Ｂ）によって取り付けたストラップチェーン６に連繋して成る。【選択図】図１
0003118852.tif 000002
【実用新案登録請求の範囲】
【請求項１】
キー、貨幣を収容可能とするスライドファスナー開閉構造の収容ケース体と、該収容ケース体に連設された靴ベラとから成り、該靴ベラを収容ケース体側に折り畳み保持可能とする固定手段を設けたことを特徴とする靴ベラ付携帯式小物入れ。
【請求項２】
固定手段は、靴ベラに内装した帯磁可能な彎曲している保形板材と、収容ケース体内に付設した磁石との磁気吸着力によるものとした請求項１記載の靴ベラ付携帯式小物入れ。
【請求項３】
収容ケース体内には、収容されるキーを保持する保持リングを備え、該保持リングは、収容ケース体内に着脱可能なボタンによって取り付けられたストラップチェーンに連繋されて成る請求項１または２記載の靴ベラ付携帯式小物入れ。
【請求項４】
靴ベラの基部あるいは収容ケース体には、吊り下げ具を連繋してある請求項１乃至３記載の靴ベラ付携帯式小物入れ。
【請求項５】
キー、貨幣を収容可能とするスライドファスナー開閉構造の収容ケース体と、該収容ケース体に連設された靴ベラとから成り、該靴ベラは、収容ケース体側に折り畳み可能として靴ベラ自体に内装した帯磁可能な彎曲している保形板材を、収容ケース体内に付設した磁石に磁気吸着力によって固定する固定手段によって収容ケース体に保持可能にすると共に、収容ケース体内には、収容されるキーを保持する保持リングを備え、該保持リングは、収容ケース体内に着脱可能なボタンによって取り付けられたストラップチェーンに連繋し、靴ベラの基部あるいは収容ケース体には、吊り下げ具を連繋してあることを特徴とする靴ベラ付携帯式小物入れ。
【考案の詳細な説明】
【技術分野】
【０００１】
本考案は、キー、小銭等の貨幣その他を収納させる携帯可能な小型の小物入れと靴ベラとを一体化させて成る靴ベラ付携帯式小物入れに関する。
【背景技術】
【０００２】
従来から携帯用の靴ベラは、外出先等で靴を履くときに至便であるため持参携帯されている。ただこの携帯型のものは小型であること、靴を履くときにしか使用されないこと等のために紛失しやすい。そのため、必要時に携帯していなかったり、収納していた鞄その他から取り出せなかったりすることもあった。このような現状から、一般的には常時携帯している例えばキーホルダー等にストラップを介して靴ベラを連結させて携帯可能とすることが往々にしてある。
【特許文献１】特になし
【考案の開示】
【考案が解決しようとする課題】
【０００３】
しかしながら、靴ベラをキーホルダーに連結させて携帯する場合には、靴ベラ使用時に、キーホルダーに裸の状態でぶら下げられている複数のキーが邪魔になって使いづらいものとなる。また、靴ベラ使用時に、キーホルダーから当該靴ベラをいちいち取り外すのでは非常に面倒でもある。
【０００４】
そこで本考案は叙上のような従来存した諸事情に鑑み案出されたもので、キーを収容するキーホルダーとなる小物入れと靴ベラとを一体化させると共に、靴ベラ使用時にはキーによって邪魔されることなく靴ベラを使用可能とし、しかも携帯時もしくは靴ベラを使用せずにキーを使用する時には、当該靴ベラをキーホルダー側に折り畳み固定可能とし、さらに小銭等の貨幣入れ兼用としても使用可能にした靴ベラ付携帯式小物入れを提供することを目的とする。
【課題を解決するための手段】
【０００５】
上述した課題を解決するため、本考案にあっては、キーＰ、硬貨等の貨幣を収容可能とするスライドファスナー開閉構造の収容ケース体１と、該収容ケース体１に連設された靴ベラ２とから成り、該靴ベラ２を収容ケース体１側に折り畳み保持可能とする固定手段３を設けたものである。
固定手段３は、靴ベラ２に内装した帯磁可能な彎曲している保形板材３Ｂと、収容ケース体１内に付設した磁石３Ａとの磁気吸着力によるものとして構成することができる。
収容ケース体１内には、収容されるキーＰを保持する保持リング４を備え、該保持リング４は、収容ケース体１内に着脱可能なボタン（５Ａ，５Ｂ）によって取り付けられたストラップチェーン６に連繋されて成るものとできる。
また、靴ベラ２の基部あるいは収容ケース体１には、吊り下げ具１０を連繋して構成することができる。
【０００６】
以上のように構成された本考案に係る靴ベラ付携帯式小物入れにあって、固定手段３は、靴ベラ２を収容ケース体１側に折り畳んだ際に、靴ベラ２内の保形板材３Ｂを、収容ケース体１内に付設した磁石３Ａに吸着保持させ、靴ベラ２を収容ケース体１と一体化させる。
彎曲している保形板材３Ｂは、靴ベラ２を使用するときに靴踵部内に使用者の踵をスムーズに案内挿入させる。
また、ストラップチェーン６は、ボタン（５Ａ，５Ｂ）を介して収容ケース体１内に取り付けられ、保持リング４は、ストラップチェーン６に連繋され、所定数のキーＰを連結保持させる。
また、吊り下げ具１０にてバッグや鞄等の他物品Ｒに取付可能にさせ、このときには収容ケース体１内にストラップチェーン６でキーＰを保持し、小銭等の貨幣を収納させる。  
【考案の効果】
【０００７】
本考案によれば、キーホルダー、小銭入れ等となる収容ケース体１と靴ベラ２とを一体化させることで靴ベラ２の携帯持参を容易にし、その紛失をも防止する。また、靴ベラ２使用時にはキーＰによって邪魔されることなく、彎曲している保形板材３Ｂによって靴ベラ２を容易に使用可能とする。しかも携帯時もしくは靴ベラ２を使用せずにキーＰを使用するときには、当該靴ベラ２を収容ケース体１側に折り畳み固定しておけば邪魔にならず、さらに貨幣入れ兼用として使用可能で便利である。
【０００８】
すなわちこれは本考案が、キーＰ、貨幣を収容可能とするスライドファスナー開閉構造の収容ケース体１に連設された靴ベラ２を、当該収容ケース体１側に折り畳み保持可能とする固定手段３を設けたからであり、これにより、靴ベラ２使用時にはキーＰは収容ケース体１内に収容されているため、キーＰによって邪魔されることなく靴ベラ２を容易に使用可能とする。
【０００９】
また、携帯時もしくは靴ベラ２を使用せずにキーＰを使用する時には、当該靴ベラ２は、収容ケース体１側に折り畳まれた状態で固定手段３によって保持されるため、靴ベラ２が邪魔にならず、携帯するにも嵩張らない。さらにキーＰの使用には収容ケース体１を開放してキーＰを取り出し使用すれば良く、貨幣等を取り出す時の収容ケース体１の開閉操作にも邪魔にならない。
【００１０】
固定手段３は、靴ベラ２に内装した帯磁可能な彎曲している保形板材３Ｂと、収容ケース体１内に付設した磁石３Ａとの磁気吸着力によるものとしたので、収容ケース体１側へ折り込まれた靴ベラ２の保持固定、または収容ケース体１側からの靴ベラ２の磁着解除が簡易に行える。また、保形板材３Ｂの彎曲形状は靴を履くときに靴内に踵をスムーズに案内挿入し、便利であると共に、保形板材３Ｂの存在は靴ベラ２自体を補強させれる。
【００１１】
収容ケース体１内には、収容されるキーＰを保持する保持リング４を備え、該保持リング４は、収容ケース体１内に着脱可能なボタン（５Ａ，５Ｂ）によって取り付けられたストラップチェーン６に連繋されて成るので、収容ケース体１内からストラップチェーン６を容易に取り外すことができる。また、ストラップチェーン６を介して保持リング４を収容ケース体１内から外出させることで、当該収容ケース体１を保持リング４を介して例えばバッグや鞄等の他物品Ｒに容易に取り付けることもできる。
【００１２】
さらには、靴ベラ２の基部あるいは収容ケース体１に吊り下げ具１０を連繋してあるので、この吊り下げ具１０によって例えばバッグや鞄等の他物品Ｒに簡単に吊り下げ保持させておくことができる。このとき、固定手段３によって収容ケース体１に靴ベラ２が一体化されていることと相俟ち、収容ケース体１自体の装飾等によってキャラクター製品的にも使用できる。
【００１３】
尚、上記の課題を解決するための手段、考案の効果の項夫々において付記した符号は、図面中に記載した構成各部を示す部分との参照を容易にするために付した。本考案は、図面中の符号によって示された構造・形状に限定されない。
【考案を実施するための最良の形態】
【００１４】
以下、図面を参照して本考案を実施するための最良の一形態を説明する。図において示される符号１は、例えば皮革製等の靴ベラ２を一体連結して成る本考案の靴ベラ付携帯式小物入れを構成する例えば靴ベラ２と同一皮革製の収容ケース体である。該収容ケース体１は、図１に示すように、靴ベラ２の外形と略同じ形状を有する一側面部１Ａと他側面部１Ｂとが折り返し連結部分１Ｃを介して起伏・開閉自在に連設され、且つ両面部１Ａ，１Ｂの開放側縁部分がスライドファスナー部材７のスライドによって開閉可能となるように形成されている。そして、この収容ケース体１内には、キーＰ、例えば小銭等の貨幣（図示せず）その他を収容可能としてある。
【００１５】
靴ベラ２は、収容ケース体１の他側面部１Ｂの一端から延設されており、該靴ベラ２は一側面部１Ａ側に折り畳み可能となるようにしてある。そして、靴ベラ２および収容ケース体１は、これらの相互間に固定手段３を設けることで両者の折り畳み状態が保持される構成となっている。靴ベラ２の内部には、当該靴ベラ２の形態に合わせて形成された帯磁可能な例えば薄型鉄板製の湾曲している保形板材３Ｂが内装されている。
【００１６】
また、固定手段３は、具体的には図１（ｂ）、図１（ｃ）に示すように、収容ケース体１における例えば一側面部１Ａ内に付設した例えば薄型円板状の磁石３Ａに対して、保形板材３Ｂが磁気吸着力によって磁着されるように構成して成る。これによって収容ケース体１に対する磁着作用で靴ベラ２の折り畳み状態が保持される。
【００１７】
尚、その他の固定手段３として、例えば靴ベラ２と収容ケース体１の他側面部１Ｂとの連設部分に、両者が閉じられる方向に付勢させるためのヒンジ状の保形材（図示せず）を内装することで、両者の折り畳み状態が常時保持される構成とするようにしても良い。
【００１８】
また、収容ケース体１の一側面部１Ａまたは他側面部１Ｂのいずれか一方の内側には、例えば雌側ボタン５Ａが付設されており、ストラップチェーン６の一端に取り付けた雄側ボタン５Ｂを当該雌側ボタン５Ａに嵌め込むことで、ストラップチェーン６自体が収容ケース体１内に着脱可能となるように連結されるものとしてある。
【００１９】
そしてストラップチェーン６の他端には、収容ケース体１内に収容されるキーＰの摘み側に形成されている孔部Ｑに挿入して当該キーＰを保持するための例えば細線材製の複重リング型の保持リング４が連繋されている。すなわち、この保持リング４における自由端部分を強制的に開放し、その自由端にてキーＰの孔部Ｑと係合し、キーＰを保持するものとしてある。
【００２０】
図中符号１０は吊り下げ具であり、例えば靴ベラ２の基部に連繋されている。図３にあっての吊り下げ具１０は靴ベラ２の基部に開穿した、鳩目材で補強された連繋孔９に挿通したリング１１にカラビラ部材１２を連結して成る。カラビラ部材１２における弾発的に開閉する開閉部によってバッグ、鞄等の他物品Ｒに取り付けできるようにしてある。尚、図示を省略したがリング１１とカラビラ部材１２とはチェーン材、紐材その他を介して連結しても良い。
【００２１】
また、この吊り下げ具１０は、図４に示すように収容ケース体１の例えば他側面部１Ｂの外側面に連結固定することもでき、例えばチェーン材、紐材その他を介して連繋したリング部材、カラビナ部材等とする。あるいは図示を省略したが、収容ケース体１内に連結しておいて、ほぼ閉塞したスライドファスナー部材７の閉塞端部分から外出される構成とすることもできる。
【００２２】
次に、以上のように構成された最良の形態についての使用の一例について説明する。先ず、収容ケース体１をキーホルダーとして使用する場合には、図１（ｂ）に示すように固定手段３による磁気吸着力に抗して収容ケース体１に対して靴ベラ２を起こすように開いた状態にし、次いで図１（ｃ）に示すようにスライドファスナー部材７をスライドして収容ケース体１の一側面部１Ａ、他側面部１Ｂ相互を開放させる。一方、図２に示すようにストラップチェーン６一端の雄側ボタンを、収容ケース体１の雌側ボタンに予め嵌め込むことで、ストラップチェーン６自体を収容ケース体１内に連結しておいてある。そして、ストラップチェーン６他端にある保持リング４の自由端部分を開いてキーＰの摘み側の孔部Ｑによって係合し、収容ケース体１内に入れておく。次いでスライドファスナー部材７をスライドして収容ケース体１の一側面部１Ａと他側面部１Ｂとを相互に閉止し、収容ケース体１を閉じることでキーＰを収容する。
【００２３】
キーＰの使用時には、このスライドファスナー部材７をスライドして収容ケース体１を開放させ、収容ケース体１から取り出したキーＰをストラップチェーン６に繋がれているままの状態でも使用可能とする。このとき、収容ケース体１に対して靴ベラ２は開いた状態あるいは閉じた状態のいずれでも良い。
【００２４】
靴ベラ２を使用する場合には、図１（ｂ）に示すように固定手段３による磁気吸着力に抗して収容ケース体１から靴ベラ２を起こすように開いた状態にしてから使用する。一方、靴ベラ２を使用しない場合には、図１（ａ）に示すように収容ケース体１側に靴ベラ２を折り畳み、固定手段３による磁気吸着力によって収容ケース体１側に靴ベラ２を保持固定して携帯すれば良い。
【００２５】
また、図３に示すように収容ケース体１を例えばバッグや鞄等の他物品Ｒに取り付けることができる。この場合には、吊り下げ具１０におけるカラビラ部材１２の開閉部の開閉で他物品Ｒの連結リング部等に係合して取り付ければ良い。
【００２６】
あるいは、図４に示すように収容ケース体１の他側面部１Ｂに連結してある吊り下げ具１０によってバッグや鞄等の他物品Ｒに取り付けても良い。
【００２７】
また、収容ケース体１を貨幣入れとして使用するときには、必要があればストラップチェーン６の雄側ボタン５Ｂを収容ケース体１の雌側ボタン５Ａから抜脱して当該ストラップチェーン６を取り除いておく。そして収容ケース体１内に必要なだけの硬貨、紙幣等の小銭その他の貨幣を入れて、スライドファスナー部材７をスライドし閉じてから携帯すれば良い。
【図面の簡単な説明】
【００２８】
【図１】本考案を実施するための最良の形態における靴ベラ付携帯式小物入れの一例を示すもので、（ａ）は収容ケース体側に靴ベラを折り畳み保持固定した状態の斜視図、（ｂ）は収容ケース体から靴ベラを起こし、開いた状態にした一部切欠斜視図、（ｃ）はスライドファスナー部材をスライドして収容ケース体を開いた状態の一部切欠斜視図である。
【図２】同じく収容ケース体の一側面部または他側面部のいずれか一方の内側に設けた雌側ボタンに、ストラップチェーン一端の雄側ボタンを嵌め込む状態を示す一部切欠斜視図である。
【図３】同じくバッグ等の他物品に吊り下げ使用した場合の斜視図である。
【図４】同じく吊り下げ使用時の他の使用例を示す斜視図である。
【符号の説明】
【００２９】
Ｐ…キー                                Ｑ…孔部
Ｒ…他物品
１…収容ケース体                        １Ａ…一側面部
１Ｂ…他側面部                          １Ｃ…折り返し連結部分
２…靴ベラ                              ３…固定手段
３Ａ…磁石                              ３Ｂ…保形板材
４…保持リング                          ５Ａ…雌側ボタン
５Ｂ…雄側ボタン                        ６…ストラップチェーン
７…スライドファスナー部材              ９…連繋孔
１０…吊り下げ具                        １１…リング
１２…カラビラ部材
【図１】
0003118852.tif 000003
【図２】
0003118852.tif 000004
【図３】
0003118852.tif 000005
【図４】
0003118852.tif 000006